(57)【特許請求の範囲】
【請求項１】
適宜間隔ごとに配置された球形またはカプセル形の軽量埋込材が上半球と下半球とに分割可能であり、上半球の上部にわたって設けた溶接金網で上半球同士が連結されるとともに、隣接した下半球同士が、下半球の側面に一体形成した連結部で連結されたことを特徴とする埋込材ユニット。
【請求項２】
適宜間隔ごとに配置された球形またはカプセル形の軽量埋込材が上半球と下半球とに分割可能であり、上半球の上部にわたって設けた溶接金網で上半球同士が連結されるとともに、軽量埋込材の横方向への動きを規制するための突出部が、隣接した下半球の側面から対向状に突出して当接されたことを特徴とする埋込材ユニット。
【請求項３】
溶接金網は上半球の上部に形成された十字状の切欠溝に設置されたことを特徴とする請求項１または２に記載の埋込材ユニット。
【発明の詳細な説明】
【０００１】
【発明の属する技術分野】
本発明は埋込材ユニットに関するものである。
【０００２】
【従来の技術】
近年、軽量化を図るために軽量埋込材を埋設した中空スラブが多く構築されている。このような軽量埋込材を埋設した中空スラブ３５の一例が、図１９に示すものであり、軽量埋込材３６を上部補強筋３７と下部補強筋３８とで挟み込んで、コンクリート３９の打設時における浮き上がりを防いでいる。
【０００３】
【発明が解決しようとする課題】
しかし、上記の中空スラブには以下のような問題がある。
（１）軽量埋込材を１個ずつ設置しなければならないため手間がかかる
（２）軽量埋込材の間に最低２本の鉄筋を配筋する必要があるため、スラブのスパンによっては過剰な配筋となっていた
（３）軽量埋込材を押さえ付ける上筋ユニットを繋ぐためのジョイント鉄筋が必要となり、スラブにしめる鉄筋量が増大していた
【０００４】
本発明は上記のような問題に鑑みてなされたものであり、その目的は、効率的、経済的、かつ精度良く配置できる軽量埋込材ユニットを提供することである。
【０００５】
【課題を解決するための手段】
以上の課題を解決するための埋込材ユニットは、適宜間隔ごとに配置された球形またはカプセル形の軽量埋込材が上半球と下半球とに分割可能であり、上半球の上部にわたって設けた溶接金網で上半球同士が連結されるとともに、隣接した下半球同士が、下半球の側面に一体形成した連結部で連結されたことを特徴とする。また溶接金網は上半球の上部に形成された十字状の切欠溝に設置されたこと含むものである。
また埋込材ユニットは、適宜間隔ごとに配置された球形またはカプセル形の軽量埋込材が上半球と下半球とに分割可能であり、上半球の上部にわたって設けた上半球同士が溶接金網で連結されるとともに、軽量埋込材の横方向への動きを規制するための突出部が、隣接した下半球の側面から対向状に突出して当接されたことを特徴とする。また溶接金網は上半球の上部に形成された十字状の切欠溝に設置されたこと含むものである。
【００１３】
効率的、経済的、かつ精度良く設置できる埋込材ユニットを製作することができる。軽量埋込材を上下で分割可能としたことにより、埋込材ユニットを容易に製作することができる。隣接した軽量埋込材間に突出部が形成されたことにより、埋込材ユニットを設置した型枠内に打設されたコンクリートによって、軽量埋込材の動きを規制することができる。軽量埋込材の上部における切欠溝に格子状の掛止材をはめ込むことができる。型枠内にコンクリートを打設するときの軽量埋込材の浮き上がりが、上面にスラブ上筋を配筋した溶接金網で抑えられるので、中空スラブの施工手間やコストの削減を図ることができる。切欠溝にコンクリートが食い込むことにより、コンクリート板から埋込材ユニットが引き抜けないプレキャストコンクリート板を製作することができる。軽量埋込材がコンクリート板に設置しやすく、このコンクリート板から軽量埋込材が引き抜きにくくなる。
【００１４】
【発明の実施の形態】
以下、本発明の埋込材ユニットおよびこれを使用した中空スラブ、およびその構築方法ならびにプレキャストコンクリート板（以下、ＰＣ板という）の実施の形態を図面に基づいて詳細に説明する。はじめに、埋込材ユニットの実施の形態について説明し、その後に中空スラブの構築方法およびＰＣ板の実施の形態について説明する。また各実施の形態において同じ構成は同じ符号を付して説明し、異なった構成にのみ異なった符号を付して説明する。
【００１５】
図１は第１の実施の形態の埋込材ユニット１を示したものである。この埋込材ユニット１は、上下で分割可能な軽量埋込材（例えばポリスチレンフォーム）２同士が溶接金網３で一体的に連結されて構成されている。この軽量埋込材２は、図２（１）および（２）に示すように、中央部で上半球４と下半球５とに分割され、上半球４の凹溝６に下半球５の嵌合突起７が嵌入して一体となり、上半球４同士が溶接金網３で一体的に連結されている。
【００１６】
このように軽量埋込材２が上半球４と下半球５とに分割できるので、埋込材ユニット１の製作が容易になる。また下半球５を取り替えて軽量埋込材２の長さを変えることにより（図３参照）、厚さの異なるスラブにも容易に対応することができるようになる。また、図２の（３）に示すように、下半球５を取り外した上半球（溶接金網３で連結されている）４のみの埋込材ユニット１として使用することもできるので、厚さの薄いスラブにも使用することができる。さらに、同図の（４）に示すように、一つの埋込材ユニット１において長さの異なる下半球５を設置する。例えば、一方のエリヤの下半球５と、他方のエリアの下半球５との長さを変えると、段差部のある中空スラブの構築に使用することもできる。また、前記の下半球５の長さを変えることにより、段差部の高さも自由に変えることができる。このように埋込材ユニット１は、厚さの異なるスラブや段差部のあるスラブにも容易に対応することができる。
【００１７】
また溶接金網３が軽量埋込材２と一体的になっているため、埋込材ユニット１としての製作が簡単にでき、スラブ型枠へも簡単に設置することができる。また図３の（３）に示すように、下半球５と溶接金網３とを一体形成すると、上半球４と下半球５との接合や、下半球５の取り替え（長さの異なる下半球への）も簡単にできる。
【００１８】
図３は軽量埋込材８をカプセル形にした第２の実施の形態の埋込材ユニット８であり、下半球５を長くしたこと以外は第１の実施の形態の埋込材ユニット１と同じ構成である。この埋込材ユニット８を前記の埋込材ユニット１と組み合わせて使用すると、段差部のある中空スラブやＰＣ板を形成することができる。また軽量埋込材２の下半球５を取り替えるだけで、スラブ厚の変更に対応することができる。また同図の（３）は下半球５をさらに分割し、この分割した半球５ａを溶接金網３で連結した３分割の埋込材ユニット８である。すなわち、この埋込材ユニット８は全体として３分割されたものであり、中央部の円柱５ｂの長さを変えることにより、軽量埋込材２の高さを自由に変えることができる。したがって、段差部のある中空スラブを形成する場合、その段差部の高さを自由に変えることができるようになる。
【００１９】
図４は第３の実施の形態の埋込材ユニット９を示したものである。この埋込材ユニット９は、上半球４同士が連結部３ａで連結された上部埋込材２ａと、下半球５同士が連結部３ａで連結された下部埋込材２ｂとが嵌め合わされたものであり、図５に示すように、上半球４の凹溝６に下半球５の嵌合突起７が嵌入して接合されている。また上部埋込材２ａの上半球４には、溶接金網３をはめ込む十字状の切欠溝１１が設けられている。
【００２０】
図６は十字状の切欠溝１１に溶接金網３をはめ込んだ第４の実施の形態の埋込材ユニット１２を示したものであり、この溶接金網３をはめ込んだ以外は第３の実施の形態の埋込材ユニット９と同じ構成である。このような溶接金網３によってコンクリートの打設時における浮き上がりを抑えることができる。
【００２１】
図７は第５の実施の形態の埋込材ユニット１３を示したものである。この埋込材ユニット１３は、下部埋込材２ｂの各下半球５の側面に対向状に設けた突出部１４同士が当接されて、軽量埋込材２の横方向への動きを規制したものであり、これ以外は第１の実施の形態の埋込材ユニット１と同じ構成である。この突出部１４は、軽量埋込材２の上部が溶接金網３で連結されても、コンクリートの打設力による軽量埋込材２の変形を防いで、所定の形状を保持する役割がある。さらに、このような突出部１４は、スラブ構造上もコンクリート部分の断面欠損を少なくするため、せん断耐力が犠牲にならない。また図８は、下半球５の側面に一体形成された連結部３ａで隣接した下半球５同士が連結された埋込材ユニット１３を示したものである。
【００２２】
図９は第６の実施の形態の埋込材ユニット１５を示したものである。この埋込材ユニット１５は、溶接金網３と連結部３ａとで上半球４同士が連結されて上部埋込材２ａを形成したものであり、前記連結部３ａで軽量埋込材２の横方向への動きを規制する。また図１０は、溶接金網３と連結部３ａとで上半球４同士が連結され、かつ下半球５同士が連結部３ａで連結された埋込材ユニット１５を示したものである。
【００２３】
図１１は第７の実施の形態の埋込材ユニット１６を示したものである。この埋込材ユニット１６は、図７の埋込材ユニット１３の軽量埋込材２をカプセル形にしたものであり、下半球５を長くした以外は同じ構成である。また、この埋込材ユニット１６も、図３の（３）と同じように、下半球５をさらに分割して３分割にすることもできる。
【００２４】
図１２は第８の実施の形態の埋込材ユニット１７を示したものである。この埋込材ユニット１７は、図８の埋込材ユニット１３の軽量埋込材２をカプセル形にしたものであり、下半球５を長くした以外は同じ構成である。また、この埋込材ユニット１７も、図３の（３）と同じように、下半球５をさらに分割して３分割にすることもできる。
【００２５】
図１３は第９の実施の形態の埋込材ユニット１８を示したものである。この埋込材ユニット１８は、図９の埋込材ユニット１５の軽量埋込材２をカプセル形にしたものであり、下半球５を長くした以外は同じ構成である。また、この埋込材ユニット１８も、図３の（３）と同じように、下半球５をさらに分割して３分割にすることもできる。
【００２６】
図１４は第１０の実施の形態の埋込材ユニット１９を示したものである。この埋込材ユニット１９は、図１０の埋込材ユニット１５の軽量埋込材２をカプセル形にしたものであり、下半球５を長くした以外は同じ構成である。また、この埋込材ユニット１９も、図３の（３）と同じように、下半球５をさらに分割して３分割にすることもできる。
【００２７】
図１５は第１１の実施の形態の埋込材ユニット２０を示したものである。この埋込材ユニット２０は上下に分割しない軽量埋込材２を連結部３ａで接続したものであり、これ以外は図４の埋込材ユニット９と同じ構成である。このように上下に分割しない軽量埋込材２を、図１、３、６〜１４の埋込材ユニット１、８、１２、１３、１５、１６、１７、１８、１９にも使用することができる。
【００２８】
図１６は図１の埋込材ユニット１を使用した中空スラブを示したものであり、空隙率が高くなっている。この埋込材ユニット１を使用した中空スラブの構築方法について説明する。この構築方法は、まずスラブ型枠２１の底板２２に固定具２３を固定する。次に、埋込材ユニット１をスラブ型枠２１に設置して、固定具２３の固定ピン２４を軽量埋込材２に差し通す。
【００２９】
次に、この埋込材ユニット１の上に上部補強筋２５を配筋するとともに、固定ピン２４の先端に留め具２６をねじ込んで埋込材ユニット１をスラブ型枠２１に固定する。そして、この埋込材ユニット１が固定されたスラブ型枠２１にコンクリート２７を打設すると、軽量埋込材２の浮き上がりが固定具２３で抑えられて中空スラブ２８が構築される。また埋込材ユニット１が固定された後に、溶接金網３を上部補強筋２６に結束することもできる。
【００３０】
なお、この埋込材ユニット１の他に、図３、４、６〜１４の埋込材ユニット８、９、１２、１３、１５、１６、１７、１８、１９を使用した中空スラブ（図示せず）も同じ方法で構築する。この場合も、埋込材ユニット１が固定された後に、溶接金網３を上部補強筋（または下部補強筋２５ａ）２５に結束することもできる。
【００３１】
図１７は第１の実施の形態のＰＣ板２９、すなわち図４の埋込材ユニット９を使用したＰＣ板２９である。このＰＣ板２９は、切欠溝１１が下側になるように軽量埋込材２の下部をコンクリート板３０に埋め込んだものであり、切欠溝１１内にコンクリートが食い込んで、埋込材ユニット９がコンクリート板３０から引き抜けないようになっている。この埋込材ユニット９は、上記のようなＰＣ板２９に限らず、いわゆるフルＰＣ板にも使用することができる。なお、この埋込材ユニット９の他にも、図１、３、６〜１４の埋込材ユニット１、８、１２、１３、１５、１６、１７、１８、１９を使用したＰＣ板（図示せず）を形成することもできる。
【００３２】
図１８は第２の実施の形態のＰＣ板３１を示したものである。このＰＣ板３１は、凹部３２が設けられた切欠部３３が埋設されて球形の軽量埋込材２がコンクリート板３０に適宜間隔ごとに設置され、これらの軽量埋込材２が連結部３ａで連結されて構成されている。この切欠部３３は軽量埋込材２を設置しやすく、凹部３２がコンクリート板３０に食い込むため引き抜けにくくなっている。なお、前記切欠部３３には凹部３２にかわって突部を設けることもでき、軽量埋込材２をカプセル形にすることもできる。
【００３３】
【発明の効果】
効率的、経済的、かつ精度良く設置できる埋込材ユニットを製作することができる。
【００３４】
軽量埋込材を上下に分割可能としたことにより、埋込材ユニットを種々のサイズに対応して容易に製作することができる。
【００３５】
軽量埋込材の上部における切欠溝に溶接金網をはめ込むことができる。
【００３６】
軽量埋込材の上部また全体を連結材で一体形成したことにより、頑強な埋込材ユニットを形成することができる。
【００３７】
型枠内にコンクリートを打設するときの軽量埋込材の浮き上がりが溶接金網で抑えられるので、中空スラブの施工手間やコストの削減を図ることができる。
【００３８】
隣接した軽量埋込材間に突出部が形成されたことにより、埋込材ユニットを設置した型枠内に打設されたコンクリートによる軽量埋込材の動きを規制することができる。
【００３９】
切欠溝にコンクリートが食い込むことにより、埋込材ユニットがコンクリート板から引き抜けないプレキャストコンクリート板を製作することができる。
【００４０】
軽量埋込材がコンクリート板に設置しやすく、このコンクリート板から軽量埋込材が引き抜けないプレキャストコンクリート板を製作することができる。
【図面の簡単な説明】
【図１】（１）は第１の実施の形態の埋込材ユニットの平面図、（２）は同側面図である。
【図２】（１）は下半球を分割した軽量埋込材の断面図、（２）は分割した下半球の平面図、（３）は上半球のみの埋込材ユニットの側面図、（４）は下半球の長さを変えた埋込材ユニットの側面図である。
【図３】（１）は第２の実施の形態の埋込材ユニットの平面図、（２）は同側面図、（３）は３分割の埋込材ユニットの側面図である。
【図４】（１）は第３の実施の形態の埋込材ユニットの平面図、（２）は（１）のＡ−Ａ線断面図、（３）は上下に分割した埋込材ユニットの断面図である。
【図５】 （１）は軽量埋込材の断面図、（２）は下半球を分割した軽量埋込材の断面図、（３）は分割した下半球の平面図である。
【図６】（１）は第４の実施の形態の埋込材ユニットの平面図、（２）は同側面図である。
【図７】   （１）は第５の実施の形態の埋込材ユニットの平面図、（２）は同側面図である。
【図８】  下半球を分割した埋込材ユニットの側面図である。
【図９】（１）は第６の実施の形態の埋込材ユニットの平面図、（２）は同側面図である。
【図１０】下半球を分割した埋込材ユニットの側面図である。
【図１１】第７の実施の形態の埋込材ユニットの側面図である。
【図１２】第８の実施の形態の埋込材ユニットの側面図である。
【図１３】第９の実施の形態の埋込材ユニットの側面図である。
【図１４】第１０の実施の形態の埋込材ユニットの側面図である。
【図１５】（１）は第１１の実施の形態の埋込材ユニットの平面図、（２）は同側面図である。
【図１６】中空スラブおよびその構築方法を示す断面図である。
【図１７】第１の実施の形態のＰＣ板の断面図である。
【図１８】第２の実施の形態のＰＣ板の断面図である。
【図１９】従来の中空スラブの断面図である。
【符号の説明】
１、８、９、１２、１３、１５、１６、１７、１８、１９、２０  埋込材ユニット
２、３６  軽量埋込材
３  溶接金網
３ａ  連結部
４  上半球
５  下半球
５ａ  半球
６  凹溝
７  嵌合突起
１１  切欠溝
１４  突出部
２１  スラブ型枠
２２  底板
２３  固定具
２４  固定ピン
２５、３７  上部補強筋
２６  留め具
２７、３９  コンクリート
２８、３５  中空スラブ
２９、３１  ＰＣ板
３０  コンクリート板
３２  凹部
３３  切欠部
２５ａ、３８  下部補強筋
【図１】
0003717458.tif 000002
【図２】
0003717458.tif 000003
【図３】
0003717458.tif 000004
【図４】
0003717458.tif 000005
【図５】
0003717458.tif 000006
【図６】
0003717458.tif 000007
【図７】
0003717458.tif 000008
【図８】
0003717458.tif 000009
【図９】
0003717458.tif 000010
【図１０】
0003717458.tif 000011
【図１１】
0003717458.tif 000012
【図１２】
0003717458.tif 000013
【図１３】
0003717458.tif 000014
【図１４】
0003717458.tif 000015
【図１５】
0003717458.tif 000016
【図１６】
0003717458.tif 000017
【図１７】
0003717458.tif 000018
【図１８】
0003717458.tif 000019
【図１９】
0003717458.tif 000020